(57)【要約】【課題】建造物の外装面を点検、補修を行う作業者を安全に吊下げる、吊下げ装置を提供すること。【解決手段】複数の略垂直の筋材２が所定間隔で内在するパラペット３に着脱自在に挟着固定される、吊下げ装置１において、挟着固定部５が、パラペット３の上面１０に載置されるように本体枠部４に設けられた載置固定部１１と、パラペット３を構成する建造物の外側の勾配面１２に当接し、該勾配面１２の勾配に応じて回動自在となるように本体枠部４に設けられた回動固定部１３と、該回動固定部１３とパラペット３を介して相対し、該パラペット３の内壁面１４に接離自在にその開口部１５が内壁面１４側を向くように本体枠部４に設けられた取付部材１６と、パラペット３の内壁面１４と当接し且つパラペット３に内在する複数の筋材２の間隔よりも長尺となるように取付部材１６に着脱自在に嵌着保持される固定棒１７とを具備してなるものである。【選択図】図１
2008045363.tif 000002
【特許請求の範囲】
【請求項１】
建造物の屋上縁部に設けた複数の略垂直の筋材が所定間隔で内在するパラペットに着脱自在に挟着固定部によって挟着固定される、複数のフレーム片を架構してなる本体枠部に設けられた挟着固定部と、作業者を吊下げるための索条をガイドするガイド部材と、該索条を巻上げるための索条巻上機と、を具備する吊下げ装置において、
前記挟着固定部が、
前記パラペットの上面に載置されるように前記本体枠部に設けられた載置固定部と、
前記パラペットを構成する前記建造物の外側の勾配面に当接し、該勾配面の勾配に応じて回動自在となるように前記本体枠部に設けられた回動固定部と、
前記回動固定部と前記パラペットを介して相対し、該パラペットの内壁面に接離自在にその開口部が前記内壁面側を向くように前記本体枠部に設けられた取付部材と、
前記パラペットの内壁面と当接し且つ前記パラペットに内在する前記複数の筋材の間隔よりも長尺となるように前記取付部材に着脱自在に嵌着保持される固定棒と、
を具備してなることを特徴とする吊下げ装置。
【請求項２】
請求項１の吊下げ装置において、
前記回動固定部と可撓体によって連結され勾配面と当接載置する傾斜部と、
前記勾配面の勾配下方に形成されている軒先と所定間隔を有するように前記傾斜部の勾配下方に形成された略コの字型の軒先保護部と、
を具備してなる軒先保護具が前記回動固定部の勾配下方に設けられることを特徴とする吊下げ装置。
【発明の詳細な説明】
【技術分野】
【０００１】
この発明は、建造物に形成されたパラペットに挟着固定され、該建造物の外装面を点検、補修を行うために作業者を吊下げる、吊下げ装置に関する。
【背景技術】
【０００２】
従来、建造物に形成されたパラペットに挟着固定され、荷物等を吊下げる方法としては図１３に示すように、支持アーム１００の前方下側に前部支持部材１０１が直角に垂下配設されると共に、支持アーム１００の後端側に後部支持部材１０２が摺動移動可能に嵌合配設されて構成されている。そして、前部支持部材１０１と後部支持部材１０２で建造物に形成されたパラペット１０３前後を挟んでその上面に支持アーム１０１を水平にパラペット１０３より突出させて位置させ、支持アーム１００にワイヤ１０４を掛渡し、該ワイヤ１０４にて荷物等を懸垂支持する吊下げ具１０５がある（例えば特許文献１）。
【０００３】
【特許文献１】特開２００２−８１２０６号公報
【発明の開示】
【発明が解決しようとする課題】
【０００４】
しかし、上述のような従来の吊下げ具１０５においては、建造物に形成されたパラペット１０３に挟着固定する際に、前部支持部材１０１や後部支持部材１０２がパラペット１０３と接触する面積が小さいため、懸垂支持する荷物等の重さや、該荷物等を引き上げる時に生じる衝撃により、作業中に吊下げ具１０５が外れるという問題が生じる可能性がある。また、パラペット１０３に作用する圧力が大きくなるため、例えば、低層プレハブ住宅等に形成された、所定間隔で筋材が略垂直に内在するようなパラペットにおいては、パラペットの内壁面が破損するという問題が生じる可能性がある。さらに、パラペットを構成する外壁面が勾配面となっている場合には、従来の吊下げ具を該パラペットに取付けることが困難である。また、前部支持部材１０１の角度を勾配面の勾配に対応させるように変化させ吊下げ具１０５を取付けたとしても、上述のような問題が生じると共に、作業者を吊上げる最中に、作業者やワイヤ１０４が前記勾配面の勾配下方に形成されている軒先に接触し、軒先が破損するという問題が生じる可能性がある。
【０００５】
この発明は上記のような種々の課題を解決することを目的としてなされたものであって、パラペットを構成する外側面が勾配面となっているパラペットに該パラペットを破損することなく確実に取付けることができ、また、吊下げ作業中に軒先を破損するおそれのない吊下げ装置に関する。
【課題を解決するための手段】
【０００６】
上記目的を達成するために、請求項１記載の吊下げ装置は、建造物の屋上縁部に設けた複数の略垂直の筋材が所定間隔で内在するパラペットに着脱自在に挟着固定される、複数のフレーム片を架構してなる本体枠部に設けられた挟着固定部と、作業者を吊下げるための索条をガイドするガイド部材と、該索条を巻上げるための索条巻上機と、を具備する吊下げ装置において、前記挟着固定部が、前記パラペットの上面に載置されるように前記本体枠部に設けられた載置固定部と、前記パラペットを構成する前記建造物の外側の勾配面に当接し、該勾配面の勾配に応じて回動自在となるように前記本体枠部に設けられた回動固定部と、前記回動固定部と前記パラペットを介して相対し、該パラペットの内壁面に接離自在にその開口部が前記内壁面側を向くように前記本体枠部に設けられた取付部材と、前記パラペットの内壁面と当接し且つ前記パラペットに内在する前記複数の筋材の間隔よりも長尺となるように前記取付部材に着脱自在に嵌着保持される固定棒とを具備してなることを特徴としている。
【０００７】
請求項２記載の吊下げ装置は、請求項１の吊下げ装置において、前記回動固定部と可撓体によって連結され勾配面と当接載置する傾斜部と、前記勾配面の勾配下方に形成されている軒先と所定間隔を有するように前記傾斜部の勾配下方に形成された略コの字型の軒先保護部と、を具備してなる軒先保護具が前記回動固定部の勾配下方に設けられることを特徴としている。
【発明の効果】
【０００８】
請求項１記載の吊下げ装置は、挟着固定部における固定棒が、パラペットの内壁面と当接し且つパラペットに内在する複数の筋材の間隔よりも長尺となっている。これにより、吊下げ装置をパラペットに挟着固定した際に、固定棒を少なくとも２以上の筋材に渡って架設することができ、該吊下げ装置がその作業中等にパラペットに及ぼす力を２以上の筋材で支持することができる。また、固定棒が長尺に形成されていることから、その圧力も分散することができるためパラペットの内壁面が破損することもない。そして、吊下げ装置において作業者を吊下げる際に、固定棒には鉛直上方の力が作用する。しかし、固定棒が取付部材に着脱自在に嵌着保持されることで、取付部材と略一体となっているため、前述のように固定棒に鉛直上方の力が作用しても、該固定棒が取付部材から離脱することがなく、吊下げ装置を確実にパラペットに挟着固定することができる。
【０００９】
請求項２記載の吊下げ装置は、請求項１の効果に加えて、軒先保護具が前記回動固定部と可撓体によって連結され勾配面と当接載置する傾斜部を具備することにより、作業者を吊下げた際に勾配面に作用する圧力を分散することができ、該勾配面を破損することがない。また、軒先保護具が前記勾配面の勾配下方に形成されている軒先と所定間隔を有するように前記傾斜部の勾配下方に形成された略コの字型の軒先保護部を具備することにより、該軒先保護部が軒先を覆うため、作業者や索条等が軒先と接触することがなく、該軒先の破損を防止することができる。
【発明を実施するための最良の形態】
【００１０】
この発明における吊下げ装置１の最良の実施形態について、以下図１及び図７に基づいて説明する。この実施例の吊下げ装置１は、建造物の屋上縁部に設けた複数の略垂直の筋材２が所定間隔で内在するパラペット３に着脱自在に挟着固定される、複数のフレーム片を架構してなる本体枠部４に設けられた挟着固定部５と、作業者６を吊下げるための索条７をガイドするガイド部材８と、該索条７を巻上げるための索条巻上機９とを具備する吊下げ装置１において、挟着固定部５が、パラペット３の上面１０に載置されるように本体枠部４に設けられた載置固定部１１と、パラペット３を構成する建造物の外側の勾配面１２に当接し、該勾配面１２の勾配に応じて回動自在となるように本体枠部４に設けられた回動固定部１３と、該回動固定部１３とパラペット３を介して相対し、該パラペット３の内壁面１４に接離自在にその開口部１５が内壁面１４側を向くように本体枠部４に設けられた取付部材１６と、パラペット３の内壁面１４と当接し且つパラペット３に内在する複数の筋材２の間隔よりも長尺となるように取付部材１６に着脱自在に嵌着保持される固定棒１７とを具備してなるものである。
【００１１】
そして、必要に応じて図１に示すように、前述の吊下げ装置１に、前記回動固定部１３と可撓体Ｘによって連結され勾配面１２と当接載置する傾斜部１８と、前記勾配面１２の勾配下方に形成されている軒先１９と所定間隔を有するように前記傾斜部１８の勾配下方に形成された略コの字型の軒先保護部２０とを具備してなる軒先保護具２１が、前記回動固定部１３の勾配下方に設けられている。
【００１２】
前記パラペット３は、図１及び図２に示すように、建造物の屋上縁部に設けた複数の略垂直の筋材２が所定間隔で内在するように形成されている。そして、本願実施例においては、例えば、筋材２に鉄骨フレームを用い、隣接する筋材２同士が、約１ｍ間隔となるように設けられているが、筋材２に用いる材料は木材等の他の材料でもよく、又これらの間隔も、建造物、及びパラペット３の強度に影響がない程度で適宜変更することができる。また、パラペット３は、図６及び図７に示すように筋材２の周囲を、建造物の外側の勾配面１２、建物の内側の内壁面１４、及び該勾配面１２と該内壁面１４との間に略水平に形成された上面１０に覆われるようにして構成されている。そして、勾配面１２が水平面と成す勾配αは、本願実施例のように例えば、図６に示すα＝９０度となる場合や、図７に示すα＝４５度となる場合だけでなく、勾配αは適宜変更することができる。
【００１３】
前記本体枠部４は、複数のフレーム片を架構してなるものであり、本願実施例においては、図１０に示すように、架構部材２２と、該架構部材２２に取付けられ断面形状が略矩形である係止部２３を具備する係止部材２４と、該係止部２３に着脱自在に係止され取付部材１６を支持するための支持棒２５とから構成されている。そして、図３及び図４に示すように、架構部材２２の上部には、索条７を巻上げるための索条巻上機９が着脱自在に載置されていると共に、作業者６を吊下げるための索条７をガイドするガイド部材８が該架構部材２２の幅方向の略中央部に設けられているため、作業者６を容易且つスムーズに昇降することが可能である。また、架構部材２２のパラペット３を介して建造物外側には回動固定部１３を支持するための回動支持板２６が設けられている。
【００１４】
そして、係止部材２４は、図６及び図７に示すように、その連結部２７おいて架構部材２２のパラペット３を介して建造物内側に、ボルト２８により該架構部材２２と連結固定されている。また、連結部２７においては長穴２９が設けられていることから係止部材２４が上下移動可能となっている。そして、係止部材２４は、図１０に示すように断面形状が略矩形の係止部２３を具備しており、略同等の断面形状を有する支持棒２５を着脱自在に係止している。そして、吊下げ装置１を使用する際には、係止部材２４に回動自在に取付けられた回動棒部材３０が溝部３１により係止され、さらにボルト３２により固定されているため、意に反して支持棒２５が係止部材２４から離脱することがない。しかし、吊下げ装置１の解体時には回動棒部材３０をＡ方向に回動させることにより、支持棒２５を係止部材２４から容易に離脱することができる。
【００１５】
また、図１０に示すように、係止部材２４の略中央部には取付片３３が設けられており、該取付片３３には建造物の屋上面３４と当接し、吊下げ装置１を支持するための垂直支持部材３５が上下移動可能となるように取付けられている。そして、垂直支持部材３５は建造物の屋上面３４と接するため、該屋上面３４を損傷しないように、例えば窯業系材料からなる当接部３６が設けられている。また、当接部３６の材料は、これらの材料に限定されるものではなく合成樹脂材料や繊維材料等を適宜使用することができる。そして、垂直支持部材３５を構成する棒部３７にはネジ山が形成されており、ネジ３８を回転させることにより該垂直支持部材３５の高さを調節することが可能である。また、棒部３７の一端には、回動自在に取付けられた略矩形の握持片３９が取付けられているため、棒部３７を中心軸とした円周方向に垂直支持部材３５を回転することができる。
【００１６】
前記載置固定部１１は、図６及び図７に示すように、パラペット３の上面１０に載置され本体枠部４を構成する架構部材２２に設けられている。そして、載置固定部１１は、前記垂直支持部材３５と共に、吊下げ装置１が及ぼす鉛直下方の力を支持している。また、載置固定部１１はパラペット３の上面１０と接するため、該パラペット３の上面１０を損傷しないように、例えば窯業系材料を使用することができるが、これらの材料に限定されるものではなく合成樹脂材料や繊維材料等を適宜使用することができる。そして、吊下げ装置１を使用する際に、パラペット３の上面１０と載置固定部１１の間に、さらに、例えば合成樹脂シート等を介在させることで、パラペット３の上面１０を損傷することなく該吊下げ装置１の位置をパラペット３の上面１０を滑らすように移動させることも可能である。
【００１７】
前記回動固定部１３は、図６及び図７に示すように、パラペット３を構成する建造物の外側の勾配面１２と当接し、該勾配面１２の勾配に応じて回動自在となるように本体枠部４に設けられている。そして、回動固定部１３は、本願実施例においては、本体枠部４を構成する架構部材２２のパラペット３を介して建造物外側に、回動支持板２６の支点部４１を中心として回動自在に取付けられた回動フレーム４２と、該回動フレーム４２の下方に取付けられ勾配面１２と当接する当接部材４３とからなるものである。これにより、図６や図７に示すように、勾配面１２の勾配αの大きさが変化した際にも、回動フレーム４２が支点部４１を中心として回動すると共に、当接部材４３も支点部４１を中心として回動することで、回動固定部１３が勾配面１２の勾配に追随することができるのである。そして、本願実施例においては、回動支持板２６の所定位置に固定孔４４が設けられており、勾配面１２の勾配に応じてボルト４５により回動固定部１３を固定することができる。また、これらの固定孔４４の数、及び位置は勾配面１２の勾配αに応じて適宜変更可能である。
【００１８】
当接部材４３が勾配面１２と当接する際に、該勾配面１２が損傷しないように、当接部材４３の勾配面１２と当接する側の面に、例えば窯業系材料からなる当接部４６が設けられている。また、当接部４６の材料は、これらの材料に限定されるものではなく、合成樹脂材料、繊維材料等を適宜使用することができる。さらに、回動固定部１３には、軒先保護具２１と連結するための結合部４７、及び梯子４８を取付けるための梯子係止部４９及び梯子連結部５０が設けられている。そして、回動固定部１３に梯子４８を取付ける際には、図２に示すように、梯子４８の階段部５１を梯子係止部４９に設けられた凹部に係止した後に、梯子４８の最上段の階段部５１付近に設けられた連結部５２と梯子連結部５０とをボルト５３によって連結固定するのである。
【００１９】
前記取付部材１６は、図９に示すように、回動固定部１３とパラペット３を介して相対し、該パラペット３の内壁面１４に接離自在にその開口部１５が内壁面１４側を向くように本体枠部４に設けられている。そして、本願実施例においては、図６に示すように、その断面形状がコの字型に形成された部材を用いることが好ましいが、その形状は、固定棒１７を嵌着保持できる形状であればこれらの形状に限定されるものではない。また、該取付部材１６を構成する棒部５４が、本体枠部４を構成する前記支持棒２５の両端近傍に該支持棒２５を貫通するようにして取付部材１６が設けられている。そして、棒部５４にはネジ山が形成されており、ネジ５５を回転させることにより、取付部材１６がパラペット３の内壁面１４に接離自在となっている。また、棒部５４の一端には、回動自在に取付けられた略矩形の握持片５６が取付けられているため、棒部５４を中心軸とした円周方向に取付部材１６の開口部１５を容易に回転することができる。これにより、固定棒１７を容易に取付部材１６の開口部１５に嵌着保持することができるのである。
【００２０】
前記固定棒１７は、パラペット３の内壁面１４と当接し且つパラペット３に内在する複数の筋材２の間隔よりも長尺となるように取付部材１６に着脱自在に嵌着保持されている。そして、本願実施例においては、図６及び図７に示すように、固定棒１７が内壁面１４と当接する際に、該内壁面１４が損傷しないように、固定棒１７の内壁面１４と当接する側の面には、例えばゴム等の弾性を有する合成樹脂材料からなる当接部５７が設けられている。さらに、これにより内壁面１４と当接部５７との間に摩擦力が生じるため、吊下げ装置１がパラペット３に強固に挟着固定され、作業中に該吊下げ装置１が該パラペット３から脱落することがない。また、当接部５７の材料は、本願実施例のような合成樹脂材料に限定されるものではなく、その他に窯業系材料、繊維材料等を適宜使用することができる。
【００２１】
また、固定棒１７は、図１及び図２に示すように、筋材２の間隔よりも長尺に形成されているため、吊下げ装置１をパラペット３に挟着固定した際に、固定棒１７を少なくとも２以上の筋材２に渡って架設することができ、該吊下げ装置１がその作業中等にパラペット３に及ぼす力を２以上の筋材２で支持することができる。そして、その圧力も分散することができるためパラペット３の内壁面１４が破損することがない。また、吊下げ装置１により作業者６を吊下げる際には、固定棒１７には鉛直上方の力が作用するが、該固定棒１７は、図１０に示すように、固定棒１７が取付部材１６に着脱自在に嵌着保持され、取付部材１６と略一体となっている。これにより、固定棒１７が取付部材１６から離脱することがなく、吊下げ装置１を確実にパラペット３に挟着固定することができる。
【００２２】
そして、以上のような、載置固定部１１と、回動固定部１３と、取付部材１６と、固定棒１７とから挟着固定部５が形成され、吊下げ装置１はパラペット３に該挟着固定部５により着脱自在に挟着固定されるのである。
【００２３】
前記傾斜部１８は、回動固定部１３と可撓体によって連結され勾配面と当接載置するように形成されている。そして、傾斜部１８は、本願実施例においては、図８に示すように、傾斜部１８が勾配面１２と当接載置する際に、該勾配面１２が損傷しないように、傾斜部１８の勾配面１２と当接する側の面に、例えば窯業系材料等からなる当接部６０が設けられている。また、当接部６０の材料は、これらの材料に限定されるものではなく、合成樹脂材料、繊維材料等を適宜使用することができる。これにより、作業者６を吊下げる際に勾配面１２に作用する圧力を分散することができ、該勾配面１２を破損することがない。また、傾斜部１８には、前記回動固定部１３と連結するための結合部６１が該傾斜部１８の勾配上方に設けられており、これらを例えばロープ等の可撓体Ｘで該回動固定部１３の結合部４７と連結される。このように、回動固定部１３に軒先保護具２１を連結することで、該軒先保護具２１を改めて軒先に固定することがなく、可撓体Ｘの撓みによって、自然に傾斜部１８が勾配面１２と当接載置するため該軒先保護具２１の取付けが簡便である。
【００２４】
前記軒先保護部２０は、図８に示すように、勾配面１２の勾配下方に形成されている軒先１９と所定間隔を有するように傾斜部１８の勾配下方に形成され、その形状は略コの字型となっている。これにより、該軒先保護具２１が軒先１９を覆うため、作業者６や索条７等が軒先１９と接触することがなく、該軒先１９の破損を防止することができる。また、軒先保護部２０は、本願実施例においては、図５に示すように、梯子４８を取付けるための梯子係止部６２及び梯子連結部６３が設けられており、軒先保護具２１に梯子４８を取付ける際には、図１に示すように、梯子４８の階段部５１を梯子係止部６２に設けられた凹部に係止した後に、梯子４８の最上段の階段部５１付近に設けられた連結部５２と梯子連結部６３とをボルト６４によって連結固定されている。さらに、軒先保護部２０の上部であって、幅方向の略中央部に索条７をガイドするためのガイド部材６５が設けられており、作業者６を吊下げた際に、作業者６の昇降をスムーズに行うことができる。
【００２５】
そして、以上のような、傾斜部１８と、軒先保護部２０とから軒先保護具２１が形成され、図８に示すように勾配面１２の勾配下方に形成されている軒先１９を保護するのである。
【００２６】
以下、本願実施例に係る吊下げ装置１の使用法方法について説明する。
【００２７】
この吊下げ装置１を、図６及び図７に示すように、建造物の屋上縁部に設けられたパラペット３に挟着固定する際には、まず吊下げ装置１自体を建造物の屋上に運び上げる必要がある。そして、その際には、上述したように、吊下げ装置１は複数の部材から構成されており、また、それらが分割可能となっているため、地上からそれらの分割された複数の部材を、ロープや、梯子等で引上げることが可能であり、その後各部材を組立ててパラペット３に取付けるのである。
【００２８】
組立てられた吊下げ装置１は、図６及び図７に示すように、挟着固定部５にパラペット３を介在させ且つ載置固定部１１をパラペット３の上面１０に載置するようにして、パラペット３に取付けられる。そして、その際には、予め勾配面１２の勾配に応じて回動固定部１３を回動させておき、その後、該回動固定部１３が回動しないようにボルト４５により固定するのである。また、載置固定部１１と共に、吊下げ装置１が及ぼす鉛直下方の力を支持する垂直支持部材３５の高さを、適宜ネジ３８を回転させることで、該垂直支持部材３５が建造物の屋上面３４に当接するように変化させる。そして、挟着固定部５の間隔を、適宜ネジ５５を回転させることで変化させ、取付部材１６に嵌着固定された固定棒１７を、パラペット３の内壁面１４に接離自在に移動させ内壁面１４に当接させることにより、パラペット３に吊下げ装置１を挟着固定するのである。
【００２９】
前述のようにパラペット３に挟着固定された吊下げ装置１において、該パラペット３が、図６に示すように、勾配αが例えばα＝９０度となる場合には、軒先保護具２１を用いることなく吊下げ装置１を使用する。そして、その際には、図２に示すように、索条巻上機９から引出された索条７がカラビナ６６等を介して作業者６の結束帯６８と連結される。そして、作業者６は前述のように回動固定部１３に取付けられた梯子４８を伝うようにして、建造物外側へ降り、吊下げ装置１により吊下げられ、建造物の外装の点検や補修等を行うのである。また、その際には、作業者６の安全性を確保するために、その一端が建造物の屋上に固定された親綱６７等がカラビナ６６等を介して作業者６の結束帯６８と連結されている。
【００３０】
一方、前述のようにパラペット３に挟着固定された吊下げ装置１において、該パラペット３が、図７に示すように、勾配αが例えばα＝４５度となる場合には、図１に示すように、回動固定部１３の勾配下方に軒先保護具２１を設ける。そして、その際には、傾斜部１８に設けられた結合部６１と、回動固定部１３に設けられた結合部４７とを可撓体Ｘで連結するようにして該軒先保護具２１を取付ける。また、その際には、パラペット３の上面１０から軒先１９までの距離に応じて、図８に示すように、軒先保護部２０が軒先１９を覆うように、適宜可撓体Ｘの長さを調節する。そして、図1に示すように、索条巻上機９から引出された索条７がカラビナ６６等を介して作業者６の結束帯６８と連結される。そして、作業者６は前述のように軒先保護部２０に取付けられた梯子４８を伝うようにして、建造物外側へ降り、吊下げ装置１により吊下げられ、建造物の外装の点検や補修等を行うのである。また、その際には、作業者６の安全性を確保するために、その一端が建造物の屋上に固定された親綱６７等がカラビナ６６等を介して作業者６の結束帯６８と連結されている。
【産業上の利用可能性】
【００３１】
この発明の吊下げ装置１は、作業者６を吊下げるだけでなく、例えばＨ鋼等の建設資材等の昇降にも使用することが可能である。
【図面の簡単な説明】
【００３２】
【図１】本願実施例における吊下げ装置のパラペットへの取付け図
【図２】本願他の実施例における吊下げ装置のパラペットへの取付け図
【図３】本願他の実施例における吊下げ装置の斜視図
【図４】本願実施例における吊下げ装置の斜視図
【図５】本願実施例における軒先保護具の斜視図
【図６】本願他の実施例における吊下げ装置のパラペットへの取付け断面図
【図７】本願実施例における吊下げ装置のパラペットへの取付け断面図
【図８】本願実施例における軒先保護具の取付け断面図
【図９】本願実施例における吊下げ装置のパラペットへの取付け上視図
【図１０】本願実施例における吊下げ装置の背面斜視図
【図１１】本願実施例における固定棒分割時の斜視図
【図１２】本願実施例における固定棒連結時の斜視図
【図１３】従来技術を示す図
【符号の説明】
【００３３】
１      吊下げ装置
２      筋材
３      パラペット
４      本体枠部
７      索条
９      索条巻上機
１１    載置固定部
１２    傾斜面
１３    回動固定部
１６    取付部材
１７    固定棒
１８    傾斜部
２０    軒先保護部
２１    軒先保護具
【図１】
2008045363.tif 000003
【図２】
2008045363.tif 000004
【図３】
2008045363.tif 000005
【図４】
2008045363.tif 000006
【図５】
2008045363.tif 000007
【図６】
2008045363.tif 000008
【図７】
2008045363.tif 000009
【図８】
2008045363.tif 000010
【図９】
2008045363.tif 000011
【図１０】
2008045363.tif 000012
【図１１】
2008045363.tif 000013
【図１２】
2008045363.tif 000014
【図１３】
2008045363.tif 000015